(57)【要約】【課題】排水性に優れ、施工も簡単に行なえるとともに、見栄えもよく安全で、なおかつオゾン層の破壊の原因となる炭酸ガスを吸収する緑化率を高めて環境にやさしい舗装面を形成できるようにする。【解決手段】上部を開口した複数のポット部を設けた角型プレートの周辺に当該プレートを支持する支持脚部を形成し、ポット部のそれぞれは下細りの有底筒状に形成され、周壁面部分には縦長のスリットを略均等に形成し、その底部には根延出用孔と形成するとともに、ポットの下面位置と前記支持脚部の下端位置とを略同一高さに形成した。【選択図】    図４
2004254510.tif 000002
【特許請求の範囲】
【請求項１】
上部を開口した複数のポット部を設けた角型プレートの周辺に当該プレートを支持する支持脚部を形成し、ポット部のそれぞれは下細りの有底筒状に形成され、周壁面部分には縦長のスリットを略均等に形成し、その底部には根延出用孔と形成するとともに、ポットの下面位置と前記支持脚部の下端位置とを略同一高さに形成したことを特徴とする駐車場等に敷設可能なトレー
【請求項２】
角型の裏面で、隣接するポット部間に剛性向上用のリブを設けてなる請求項１に記載の駐車場等に敷設可能なトレー。
【請求項３】
複数のポット部の少なくとも一部に植物を植生させたことを特徴とする請求項１または２に記載の駐車場等に敷設可能なトレー。
【発明の詳細な説明】
【０００１】
【発明の属する技術分野】
本発明は駐車場や歩道等に敷設可能な合成樹脂製のトレーに関するものである。
【０００２】
【従来の技術】
一般に駐車場や歩道等はアスファルトやコンクリートで一面を舗装されているが、こうしたものでは、水捌けが悪く、水溜りが発生し易いという問題があった、
そこで、こうした問題に対処するために、コンクリートブロックやレンガ等のブロック体を並設することにより、その接合面部分から排水できるようにしたものもある。
【０００３】
【発明が解決しようとする課題】
ところが、上記のコンクリートブロックやレンガ等のブロック体を並設して舗装するようにしたものでは、その隙間から排水するものであることから、その排水量が充分に確保できず、水溜りが生じる問題を充分に解消できないという問題があった。
【０００４】
また、コンクリートブロックやレンガ等のブロック体を並設して舗装する場合、綺麗に均した下地にブロック体を１つづつは並べていかなくてはならず、手間がかかり、施工コストが高くなるという問題もあった。
更に、下地の均しが充分に行なわれない場合や、排水時のときに下地部分に巣が生じた場合には舗装面が凹凸になってしまうという問題もある。
斯くして舗装面に凹凸が生じた場合、見栄えが悪いだけでなく、足腰が弱く爪先が上がり難い老人等ではこの凹凸部分に躓きやすいことから、安全性にも問題があった。
【０００５】
一方、水捌けをよくするには、舗装をしないでおくことも考えられるが、こうした場合、轍ができ易いという問題がある。
また、近年都市開発等が進み山林が切り開かれて建物が作られ周辺はアスファルトやコンクリートでおおわれ、緑が減少し、緑樹木による炭酸ガスの吸収量が減り、これが地球温暖化の一因ともなっているのが現状である。
そこで、本発明は上記問題点に鑑み提案されたもので、排水性に優れ、施工も簡単に行なえるとともに、見栄えもよく安全で、なおかつオゾン層の破壊の原因となる炭酸ガスを吸収する緑化率を高めてヒートアイランド現象を減少させて環境にやさしい駐車場や歩道等を形成できるようにすることを目的とするものである。
【０００６】
【課題を解決するための手段】
上記目的を達成するために本発明は植生用のトレーを並設するようにしたもので、このトレーは、上部を開口した複数のポット部を設けた角型プレートの周辺に当該プレートを支持する支持脚部を形成し、ポット部のそれぞれは下細りの有底筒状に形成され、周壁面部分には縦長のスリットを略均等に形成し、その底部には根延出用孔と形成するとともに、ポットの下面位置と前記支持脚部の下端位置とを略同一高さに形成したことを特徴とするものである。
【０００７】
また、本発明にかかるトレーでは、角型の裏面で、隣接するポット部間に剛性向上用のリブを設けたり、複数のポット部の少なくとも一部に植物を植生させるようにすることも特徴とするものである。
【０００８】
【発明の実施の形態】
以下、本発明にかかる駐車場等に敷設可能なトレーの実施の形態を図面に基づいて説明する。
図１は本発明にかかる駐車場等に敷設可能なトレーの一例を示す斜視図であって、図中符号１はトレーを全体的に示す。
このトレー１は、合成樹脂で一体的に形成されたものであって、四隅に支持脚部２を形成し、平面視矩形状の平面部分（角形プレート）１ａに複数の植木鉢状のポット部３を縦・横方向に規則正しく形成したものである。
【０００９】
各ポット部３は、図２に示すように平面部分１ａから下方にそれぞれ突出したものであって、略正方形状でその底部４の中央には丸孔からなる根延出用孔５を有し、この根延出用孔５以外の環状の部分には多数の小孔７を有し、さらに側壁部８の全周にわたって所定間隔毎に複数の縦長のスリット９を有している。
また、各ポット部３は、トレー１を設置面１０に設置したとき、各ポット部３の底部４と設置面１０とが略面一にとなるように形成されている。
更に、このトレー１の平面部分１ａの裏面には図２に示すように隣接するポット部３同士を連結する状態で２本の剛性向上用のリブ１１が形成されている。
こうして形成されたトレー１は他の同じトレー１を、それぞれのポット部３を係合させた状態で嵩張らずに重ね合わすことができるようになっている。
【００１０】
因みに、上記のような構成で板厚が約２ｍｍ、縦が約２５ｃｍ、横が約５４ｃｍのトレー１でポット部３を縦６列、横１２列形成したものを和歌山県工業技術センターにおいて圧縮強度試験をしたところ、全体の圧縮強さは４８７００Ｎ以上、中央部の圧縮強さは３０７００Ｎ、縁部１８５００Ｎの強度結果が得られた。ここで、全体の圧縮強さの４８７００Ｎ以上というのは試験装置の測定限界を越えるため４８７００Ｎで中止されたものである。
これによれば、例えば図３に示すようにトレー１の単体を敷き詰めて駐車場を形成しただけでも自動車１４の荷重に充分耐えられることがわかる。
【００１１】
本発明にかかる駐車場等に敷設可能なトレー１の使用手順を次に説明する。
先ず、トレー１のポット部３に用土を充填し、此処で芝１５を育成する（図４参照）。
次に芝１５が育成されたトレー１を図３に示すように並設して駐車場１６を形成するとその表面部分は緑の芝１５で覆われているので恰も緑の絨毯を敷いたようになる。
そして、この上を自動車１４が走行・駐車しても、ポット部３内の用土は、強度が高く剛性のあるポット部３で区画された状態にあるので移動せず、雨水との排水性を保ちながら轍が生じない。
【００１２】
また、ポット部３の芝１５の根１７が延び、植物を植生したトレー１を並設した場合、図４に示すようにポット部３に形成された縦長のスリット９及び根延出用孔５から地中１８にから延びた根１７がアンカーの役目をし、トレー１のずれ動きを防止するとともに、隣接したトレー１から延出した根１５が絡むと、トレー１同士を別途の金具等を用いなくても確りと連結された状態にすることができる。
【００１３】
尚、上述したように、トレー１単独でも充分な強度並びに剛性を有しているが、図４でわかるようにポット３間にも土や根が充填されるので、自動車１４等の荷重は全体に分散されることから、トレー１の肉厚を薄くして軽量化やコストダウンを図ることもできる。
トレー１に形成されるポット部３の形状は正方形に限られず、丸や三角形等多角形にすることができるのは勿論のこと、トレー１の全体形状も丸や多角形にすることができるのはいうまでもないことである。
更に上記実施の形態ではトレー１を並設して駐車場を形成するようにしてあるが、こうしたものに限られず、歩道やその他の平面部分にも実施することができるのは勿論のことである。
【００１４】
【発明の効果】
本発明は以上に説明したように、上部を開口した複数のポット部を設けた角型プレートの周辺に当該プレートを支持する支持脚部を形成し、ポット部のそれぞれは下細りの有底筒状に形成され、周壁面部分には縦長のスリットを略均等に形成し、その底部には根延出用孔と形成するとともに、ポットの下面位置と前記支持脚部の下端位置とを略同一高さに形成したトレーを駐車場等の敷設ようとして並設するようにしてあるので、雨水はトレーの前面から地中に吸収排水される。
従って、従来のコンクリートブロックやレンガ等のブロック体を並設して舗装するようにしたもののように、水溜りが生じるのを確実に防止することができる利点がある。
【００１５】
また、本発明では、トレーを並設するだけの簡単な操作で駐車場等を舗装することができるので、コンクリートブロックやレンガ等のブロック体を並設して舗装する場合、綺麗に均した下地にブロック体を１つづつは並べていく従来のものに比べ、施工時間も短縮でき、施工コストを安価にすることができる利点がある。
加えて、例えば芝等の踏まれ強い植物を植生したトレーを並設すると、緑におおわれるので、緑化率の向上が図れ、オゾン層の破壊の原因となる炭酸ガスを吸収する緑化率を高めてヒートアイランド現象を減少させて環境にやさしい舗装面を形成することができる。特に、斯かるトレーを駐車場に用いた場合、車からの排気ガス中の炭酸ガスを飛散させることなく吸収できる利点がある。
【００１６】
更に、植物を植生したトレーを並設した場合、ポット部に形成された縦長のスリット及び根延出用孔から地中にから延びた根がアンカーの役目をし、ずれ動きを防止するとともに、隣接したトレーから延出した根が絡むと、トレー同士を別途金具等を用いなくても確りと連結された状態にすることができる。
したがって、下地の均しが充分に行なわれない場合や、排水時のとき似下時部分に巣が生じたような場合でも、舗装面が凹凸になってしまうという従来の問題点も解消することができる利点もある。
加えて、駐車場や歩道等の舗装面に凹凸が生じにくいので、見栄えも良くなるだけでなく、従来のように足腰が弱く爪先が上がり難い老人等がこの凹凸部分に躓くのを防止でき、安全性も向上させることができるという利点もある。
【図面の簡単な説明】
【図１】は本発明にかかる駐車場等に敷設可能なトレーの斜視図である。
【図２】は本発明にかかる駐車場等に敷設可能なトレーの裏面の斜視図である。
【図３】は本発明にかかる駐車場等に敷設可能なトレーの使用状態の斜視図である。
【図４】は本発明にかかる駐車場等に敷設可能なトレーの使用状態の縦断面図である。
【符号の説明】
１・・・トレー
１ａ・・・角型プレート
２・・・脚部
３・・・ポット部
４・・・底部
５・・・根延出用孔
８・・・周壁面部分
９・・・スリット
１１・・・リブ
１５・・・植物
１６・・・駐車場
【図１】
2004254510.tif 000003
【図２】
2004254510.tif 000004
【図３】
2004254510.tif 000005
【図４】
2004254510.tif 000006